(57)【要約】【課題】中央カバー板の支持強度に優れ、該中央カバー板を目地の略中央に安定して保持し得る天井用目地カバー装置を提供する。【解決手段】目地Ｓを介して隣接する建造物Ｐ，Ｑに左右一対の支持杆６の他端部６ｂが夫々数結され、該支持杆６の一端部６ａが摺動基体５の左右方向の摺動路２１に夫々摺動可能に嵌挿されると共に、該摺動基体５の左右両端部に配設された滑車３２に掛け渡された無端状のワイヤー３３の両直線部に、左右の支持杆６の一端部６ａが夫々保持されるようにしたから、地震等により建造物Ｐ，Ｑが相対変位した場合にも、摺動基体５を目地Ｓの略中央に保持することができる。そして、摺動基体５に吊持される中央カバー板１５を支持する支持強度が高く、比較的長期に亘って中央カバー板１５を安定して保持できる。【選択図】図１
2014218815.tif 000002
【特許請求の範囲】
【請求項１】
隣接する左右の建造物の天井相互間の目地に差し渡されて、該目地を覆う天井用目地カバー装置であって、
左右方向の摺動路が並んで設けられた摺動基体と、該摺動基体の両摺動路に一端部が夫々摺動可能に嵌挿され、両建造物に他端部が夫々水平方向に回動可能に連結された左右一対の支持杆と、摺動基体の左右両端部に夫々配設された滑車に無端状のワイヤーが掛け渡され、該滑車間で並ぶワイヤーの両直線部に、左右の支持杆の一端部が夫々保持されてなる滑車機構とを備えてなり、前記摺動基体を目地の左右方向の略中央に保持する中心保持装置と、
目地の左右方向の略中央で該目地の長手方向に延在し、前記中心保持装置の摺動基体に吊持された中央カバー板と、
目地の左右両側で該目地の長手方向に延在し、外側縁が左右の建造物に夫々連結されて、前記中央カバー板と共に目地を覆う左右一対の端部カバー板と
を備えていることを特徴とする天井用目地カバー装置。
【請求項２】
中央カバー板は、摺動基体に上下方向に嵌挿された支持軸の下端に支持されて、摺動基体に連結された圧縮ばねによって上方向に付勢され、両外側縁に外方に向けて斜め上方に傾斜する傾斜受面が形成されてなり、
左右一対の端部カバー板は、その天井面が前記中央カバー板の天井面と略面一となるように、外側縁が左右の建造物に夫々連結され、内側縁に前記中央カバー板の傾斜受面と同方向に傾斜する押圧傾斜面が形成されてなるものであることを特徴とする請求項１に記載の天井用目地カバー装置。
【発明の詳細な説明】
【技術分野】
【０００１】
本発明は、隣接する左右の建造物の天井相互間の目地を覆う天井用目地カバー装置に関する。
【背景技術】
【０００２】
この種の天井用目地カバー装置にあって、例えば特許文献１には、隣接する左右の建造物の天井相互間の目地を構成する左右の側壁面にパンタグラフ状の伸縮リンクが枢支されて、該伸縮リンクに中央カバー板（中央天井目地カバー）が吊持され、該中央カバー板と左右の側壁面に連結された左右の端部カバー板（天井目地カバー）とにより目地を覆うようにした構成が開示されている。かかる構成では、地震等により左右の建造物が相対変位した場合に、伸縮リンクが伸長または収縮作動することにより、中央カバー板を目地の左右方向の略中央に維持できる。これにより、目地の長手方向に相対変位した場合に、中央カバー板に対して左右の端部カバー板がスムーズに動くことができ、当該変位を安定して吸収できるようになっている。
【０００３】
こうした特許文献１に開示された構成にあって、中央カバー板を目地の左右方向の略中央に維持するための伸縮リンクは、そのジョイント部分に、中央カバー板を支えることによる負荷が掛かり易い。特に、免震ビルのように目地の幅寸法が比較的大きい場合には、中央カバー板が大きくその重量も重くなることから、伸縮リンクのジョイント部に負荷が集中する虞がある。
【先行技術文献】
【特許文献】
【０００４】
【特許文献１】特開２０１２−３６６４１号公報（図１，２，１３，１４参照）
【発明の概要】
【発明が解決しようとする課題】
【０００５】
上述した天井用目地カバー装置としては、中央カバー板を目地の左右方向の略中央で安定して保持しつつ、中央カバー板を支持する支持強度が高い構成が希求されている。
【０００６】
本発明は、中央カバー板を目地の略中央で保持でき、かつ該中央カバーの支持強度に優れた天井用目地カバー装置の提供を目的とするものである。
【課題を解決するための手段】
【０００７】
本発明は、隣接する左右の建造物の天井相互間の目地に差し渡されて、該目地を覆う天井用目地カバー装置であって、左右方向の摺動路が並んで設けられた摺動基体と、該摺動基体の両摺動路に一端部が夫々摺動可能に嵌挿され、両建造物に他端部が夫々水平方向に回動可能に連結された左右一対の支持杆と、摺動基体の左右両端部に夫々配設された滑車に無端状のワイヤーが掛け渡され、該滑車間で並ぶワイヤーの両直線部に、左右の支持杆の一端部が夫々保持されてなる滑車機構とを備えてなり、前記摺動基体を目地の左右方向の略中央に保持する中心保持装置と、目地の左右方向の略中央で該目地の長手方向に延在し、前記中心保持装置の摺動基体に吊持された中央カバー板と、目地の左右両側で該目地の長手方向に延在し、外側縁が左右の建造物に夫々連結されて、前記中央カバー板と共に目地を覆う左右一対の端部カバー板とを備えていることを特徴とする天井用目地カバー装置である。
【０００８】
ここで、「目地の左右方向」とは、目地を横断して両建造物の天井相互を差し渡す方向であり、換言すれば「目地の幅方向」と言える。また、「目地の長手方向」とは、目地の幅方向と直交する方向を意味する。また、無端状のワイヤーは、実質的に無端状であればよい。
【０００９】
かかる構成にあっては、無端状のワイヤーに左右の支持杆の一端部が夫々保持されていることにより、該ワイヤーの、各一端部を夫々保持した部位間の長さは一定に保たれることから、左右の建造物が相対変位した場合に、左右の支持杆が摺動基体に対して互いに反対方向へ等距離移動し、該摺動基体を目地の左右方向の略中央に安定して保持できる。そのため、この摺動基体に吊持された中央カバー板を、地震等により左右の建造物が相対変位した場合にも、目地の左右方向の略中央で安定して保持できる。また、中央カバー板を吊持する摺動基体を、該摺動基体の両摺動路に一端部が嵌挿され且つ他端部が左右の建造物に連結された左右の支持杆によって支持するようにしたことにより、中央カバー板の支持強度が高く、該支持強度が従来構成の伸縮リンクに比して格段に向上する。そのため、本発明の構成によれば、中央カバー板の重量を充分かつ安定して支えることができ、比較的長期に亘って安定して保持できると共に、地震等が発生した場合に中央カバー板を目地の略中央で安定して保持することができる。
【００１０】
尚ここで、中心保持装置の滑車機構としては、左右の支持杆の一端部が、ワイヤーの両直線部の左右対称となる部位に夫々保持されている構成が好適であり、特に両直線部の中心部位に夫々保持されている構成がさらに好適である。こうした構成により、摺動基体を、目地の左右方向の中央に維持し易い。また、中心保持装置は、目地の長手方向に複数配設された構成が好適であり、これにより中央カバー板を一層安定して保持できる。
【００１１】
上述した天井用目地カバー装置にあって、中央カバー板は、摺動基体に上下方向に嵌挿された支持軸の下端に支持されて、摺動基体に連結された圧縮ばねによって上方向に付勢され、両外側縁に外方に向けて斜め上方に傾斜する傾斜受面が形成されてなり、左右一対の端部カバー板は、その天井面が前記中央カバー板の天井面と略面一となるように、外側縁が左右の建造物に夫々連結され、内側縁に前記中央カバー板の傾斜受面と同方向に傾斜する押圧傾斜面が形成されてなるものである構成が提案される。
【００１２】
かかる構成にあっては、中央カバー板と左右一対の端部カバー板とが、その各下面で構成される夫々天井面を略面一として配設されることから、これら天井面によって構成される天井が優れた美観を有するものとできる。また、左右の建造物が接近する方向に相対変位すると、左右の端部カバー板の押圧傾斜面によって中央カバー板の両傾斜受面が下方へ押し付けられて、該中央カバー板が左右の端部カバー板の下側に位置し、その後に離間する方向に相対変位すると、中央カバー板が圧縮ばねの付勢力によって上方へ復帰して略面一な状態に戻る。このように目地の左右方向へ相対変位した場合にも、中央カバー板および端部カバー板が円滑に位置変換できる。
【発明の効果】
【００１３】
本発明は、上述したように、摺動基体、左右の支持杆、および滑車機構とからなる中心保持装置によって、摺動基体により吊持した中央カバー板を、地震等により建造物が目地の左右方向に相対変位した場合にも、該目地の左右方向の略中央に安定して保つことができる。また、中央カバー板を吊持する摺動基体を左右の支持杆によって支持することにより、中央カバー板の支持強度に優れ、該支持強度が従来構成の伸縮リンクに比して格段に向上する。したがって、中央カバー板を比較的長期に亘って安定して保持できると共に、地震等による相対変位に対して中央カバー板を目地の略中央で安定して保持できる。
【図面の簡単な説明】
【００１４】
【図１】天井用目地カバー装置１の施工状態を示す側面図である。
【図２】天井用目地カバー装置１の施工状態を示す平面図である。
【図３】図２中のＡ−Ａ線拡大断面図である。
【図４】図３中のＢ−Ｂ部分拡大図である。
【図５】摺動基体５の部分拡大側面図である。
【図６】摺動基体５の部分拡大平面図である。
【図７】建造物Ｐ，Ｑが接近する方向に相対変位したときの、天井用目地カバー装置１の作動状態を示す側面図である。
【図８】建造物Ｐ，Ｑが接近する方向に相対変位したときの、天井用目地カバー装置１の作動状態を示す平面図である。
【図９】建造物Ｐ，Ｑが接近する方向に相対変位したときの、滑車機構３１の作動状態を示す部分拡大平面図である。
【図１０】建造物Ｐ，Ｑが離隔する方向に相対変位したときの、天井用目地カバー装置１の作動状態を示す側面図である。
【図１１】建造物Ｐ，Ｑが離隔する方向に相対変位したときの、天井用目地カバー装置１の作動状態を示す平面図である。
【図１２】建造物Ｐ，Ｑが離隔する方向に相対変位したときの、滑車機構３１の作動状態を示す部分拡大平面図である。
【図１３】建造物Ｐ，Ｑが目地Ｓの長手方向に相対変位したときの、天井用目地カバー装置１の作動状態を示す平面図である。
【発明を実施するための形態】
【００１５】
本発明の実施形態を、図１〜図１３に基づいて説明する。尚、図１，図５，図７，図１０については、圧縮ばね４６を省略している。
本実施例の天井用目地カバー装置１は、図１，２に示すように、目地Ｓを介して隣接する左右の建造物Ｐ，Ｑ間に配設されて、両建造物Ｐ，Ｑの側壁面ｘ，ｙ間の目地Ｓを覆うものである。
【００１６】
建造物Ｐ，Ｑの対向する両側壁面ｘ、ｙには、天井用目地カバー装置１を構成する左右一対の支持杆６，６が固定枠１２，１２を介して連結されている。この固定枠１２は、断面コ字形に形成されており、側壁面ｘ，ｙから突出された複数のアンカーボルト（図示せず）とナット（図示せず）とにより側壁面ｘ、ｙに固定されている。
【００１７】
目地Ｓの左右方向の略中央には、摺動基体５が左右一対の支持杆６，６により支持されて設けられており、摺動基体５の略中心に設けられた支持軸４５により中央カバー板１５が吊持されている。さらに、中央カバー板１５の左右両側には、左右一対の端部カバー板１６，１６が側壁面ｘ，ｙに固定されており、中央カバー板１５の天井面１５ａと左右の端部カバー板１６，１６の天井面１６ａ，１６ａとによって目地Ｓを覆う天井部分を構成している。
【００１８】
上記した左右一対の支持杆６，６は、その一端部６ａ，６ａが摺動基体５の摺動路２１，２１に夫々摺動可能に嵌挿されており、他端部６ｂ，６ｂが上記の固定枠１２，１２に水平方向へ回動可能に枢支されている。ここで、支持杆６の他端部６ｂ，６ｂは、固定枠１２に配設された上下方向の回動軸（図示せず）により枢支されている。
【００１９】
上記の摺動基体５は、図３，４に示すように、その両側面部に左右方向の摺動路２１，２１が平行に形成されており、各摺動路２１は上下で対向する凹溝２２，２２により構成されている。こうした摺動路２１，２１に、支持杆６，６の一端部６ａ，６ａが夫々嵌挿されている。これにより、各支持杆６，６と摺動基体５とが相対的に左右方向に摺動可能である。さらに、各摺動路２１，２１には、夫々の凹溝２２，２２に、支持杆６の一端縁に遊転可能に配設された案内輪２５（図１，５参照）が嵌挿されて、案内輪２５によって支持杆６が摺動路２１，２１を円滑に摺動できるようにしている。また、摺動基体５の両端には、支持杆６が嵌挿される片方の端部に、該支持杆６の上部に当接される補助輪２６が遊転可能に配設されており、該補助輪２６により支持杆６の円滑な摺動を補助している。
【００２０】
この摺動基体５には、その両端部の上部に滑車３２，３２が夫々配設されている。滑車３２，３２は水平方向に回転するように設けられており、図１，２，５，６に示すように、両滑車３２，３２に無端状のワイヤー３３が掛け渡されている。こうした滑車３２，３２間で平行に並ぶワイヤー３３の直線部３３ａ，３３ａには、夫々の直下で摺動する支持杆６，６の一端部６ａ，６ａが保持部材３４，３４を介して保持されている。ここで、保持部材３４，３４は、夫々の結合部位でワイヤー３３の長さを二分するように、直線部３３ａ，３３ａの左右方向の略中間部位に結合されている。これにより、摺動基体５の左右方向の中間位置が、目地Ｓの左右方向の略中心となる。このように、滑車３２，３２に無端状のワイヤー３３が掛け渡されて、該ワイヤー３３に左右の支持杆６，６の一端部６ａ，６ａが保持された構成によって、本発明にかかる滑車機構３１が構成されている。
【００２１】
上述した摺動基体５、左右一対の支持杆６，６、および滑車機構３１によって、本発明にかかる中心保持装置１０が構成されている。そして、中心保持装置１０は、目地Ｓの長手方向に所定間隔をおいて複数設けられている。
【００２２】
また、目地Ｓの長手方向に並設された複数の摺動基体５の上側には、図１〜６に示すように、目地Ｓの長手方向に延在するばね受部材４１が配設されている。このばね受部材４１は、断面仰コ字形に形成されてなり、各摺動基体５と夫々交差する部位から複数のガイド筒４２が下方へ突設されている（図３，４参照）。各ガイド筒４２は、各摺動基体５の左右方向の中心部に形成された上下方向の挿通孔４３（図４参照）に上方から夫々嵌入されている。これによって、ばね受部材４１が各摺動基体５に取り付けられており、該ばね受部材４１により各摺動基体５の相互間隔が保持されている。各ガイド筒４２にはそれぞれ、支持軸４５が上下方向に進退可能に挿通されている。支持軸４５は、その下端が中央カバー板１５に固定され、その上端が摺動基体５の上面側に突出されており、該上端にガイド筒４２の内径よりも太径のナット（図示せず）が螺合されている。さらに、ばね受部材４１には、その長手方向に所定間隔をおいて、複数の圧縮ばね４６の上端が取り付けられている。そして、各圧縮ばね４６の下端が、中央カバー板１５に取り付けられており、複数の圧縮ばね４６によって中央カバー板１５が上方へ付勢されている。
【００２３】
目地Ｓの左右方向の略中央部には、上記した各摺動基体５の下方に位置させて目地Ｓの長手方向に延在する中央カバー板１５が配設されている。この中央カバー板１５は、目地Ｓの左右方向の幅の、略３分の１の横幅寸法で縦長矩形状に形成されており（図１参照）、その上面側に補強フレーム５１を備えている。補強フレーム５１は、左右両側に配設された縦枠５２，５２と、該縦枠５２，５２に左右両端部が固定された複数の横枠５３とにより、平面視において略梯子状に形成されている。さらに、補強フレーム５１には、その左右方向の中心位置に、長手方向に延在する中心支持材５５が、複数の横枠５３の上面に夫々固定されて配設されている。ここで、縦枠５２、横枠５３、および中心支持材５５は、中空角形を成す。中心支持材５５には、上記の各支持軸４５に夫々対応する部位に、該支持軸４５を挿通する所定高さの介装筒４７が上方に夫々突設されており、各介装筒４７下に、上下方向に貫通する挿通孔（図示せず）が夫々形成されている。各挿通孔には、介装筒４７を介して上方から支持軸４５が夫々挿通され、該支持軸４５の下端に該挿通孔よりも太径のナット（図示せず）が螺合されている。さらに、中心支持材５５には、上記したばね受部材４１に上端を取り付けた複数の圧縮ばね４６の下端が取り付けられている。
【００２４】
こうした補強フレーム５１の下面側には中央カバー板１５が宛われ、該中央カバー板１５が螺子止めなどの固定手段を介して補強フレーム５１に接合されている。これにより、中央カバー板１５は、補強フレーム５１を介して各支持軸４５の下端に支持されており、各支持軸４５により上記した中心保持装置１０の摺動基体５に吊持されている。さらに、中央カバー板１５は、ばね受部材４１と補強フレーム５１とに配設された複数の圧縮ばね４６の弾発力によって上方へ付勢されている。ここで、補強フレーム５１に突設された介装筒４７によって、前記圧縮ばね４６の付勢力により上方移動可能な中央カバー板１５の上限位置が決まる。また、中央カバー板１５の左右両側縁には、左右両外方に向けて斜め上方に傾斜する傾斜受面５４，５４が長手方向に亘って形成されている（図１，５参照）。そして、中央カバー板１５の下面によって、天井面１５ａが構成されている。
【００２５】
また、目地Ｓの左右の側部には、目地Ｓの長手方向に延在する端部カバー板１６，１６が左右一対で配設されている。端部カバー板１６，１６は、夫々目地Ｓの左右方向の幅の、略３分の１の横幅寸法で縦長矩形状に形成されており（図１参照）、その上側に補強フレーム６１，６１を夫々備えている。各補強フレーム６１は、建造物Ｐ，Ｑの側壁面ｘ，ｙに配設された固定枠（図示せず）に、外端が固定された横枠６３を、目地Ｓの長手方向に所定間隔をおいて複数備え、さらに、各横枠６３の下面側に長手方向に並設された複数の縦枠６２を、目地Ｓの左右方向に所定間隔をおいて複数備えている。そして、各横枠６３の内端には、目地Ｓの長手方向に沿って内端枠６４が配設されている。ここで、縦枠６２、横枠６３、および内端枠６４は、それぞれ中空角形をなす。こうした補強フレーム６１，６１の下面側に端部カバー板１６，１６が宛われ、各端部カバー板１６が補強フレーム６１の各縦枠６２に螺子止めなどの固定手段を介して接合されている。これにより、各端部カバー板１６，１６は、補強フレーム６１を介して建造物Ｐ，Ｑの側壁面ｘ，ｙに夫々固定されている。端部カバー板１６，１６は、その各内側縁に、上記中央カバー板１５の傾斜受面５４，５４と同方向に傾斜する押圧傾斜面６７，６７と、各押圧傾斜面６７，６７の内端からさらに内方へ突出する水平支持面６８，６８と、各水平支持面６８，６８から内側方へ傾斜する案内面６９，６９とが形成されている（図５参照）。ここで、水平支持面６８，６８は、各補強フレーム６１，６１の内端枠６４，６４の下面に支持されている。
【００２６】
左右の端部カバー板１６，１６は、地震の無い常態において、その天井面１６ａ，１６ａが上記中央カバー板１５の天井面１５ａと略面一となる状態で配設されている。そして、この状態で、端部カバー板１６，１６の各水平支持面６８，６８に、該中央カバー板１５の補強フレーム５１を構成する左右の縦枠５２，５２が当接し、端部カバー板１６，１６の各押圧傾斜面６７，６７が中央カバー板１５の両傾斜受面５４，５４の上面側に位置している（図５参照）。地震の際に目地Ｓの幅が狭くなると、押圧傾斜面６７，６７が傾斜受面５４，５４を外側方から押圧することによって中央カバー板１５が下方へ押し出されるようになっている。
【００２７】
次に、上述した天井用目地カバー装置１の作動について説明する。
図７〜９に示すように、地震等によって建造物Ｐ，Ｑが接近する方向に相対変位すると、端部カバー板１６，１６の各内側縁の押圧傾斜面６７，６７により中央カバー板１５の両外側縁の傾斜受面５４，５４が外側方から押圧されて、中央カバー板１５が圧縮ばね４６の弾発力に抗して下方に押し出されると共に、端部カバー板１６，１６の内端側が中央カバー板１５の上側に進入することにより、その接近方向の相対変位に追従する。
【００２８】
こうした接近方向の相対変位に伴って、中心保持装置１０では、左右の支持杆６，６が互いに反対向きに移動し、各支持杆６，６の一端部６ａ，６ａが摺動基体５の摺動路２１，２１を摺動する。このときに、滑車機構３１の両滑車３２，３２に掛け渡された無端状のワイヤー３３が、その直線部３３ａ，３３ａに各支持杆６，６の一端部６ａ，６ａを保持していることにより、周方向へ動き（右回り又は左回り）、各支持杆６，６の一端部６ａ，６ａが摺動路２１，２１を夫々反対向きに移動する距離が等しい。そのため、地震等によって目地Ｓの幅が変化しても、摺動基体５と一方の支持杆６との相対的な位置関係と、該摺動基体５と他方の支持杆６との相対的な位置関係とは、左右対称に保たれることから、摺動基体５が目地Ｓの略中央に保持される。これにより、摺動基体５の略中心に設けられた支持軸４５によって吊持された中央カバー板１５が、目地Ｓの略中央に保持される。
【００２９】
このように接近した状態から建造物Ｐ，Ｑが離隔する方向に相対変位すると、左右の端部カバー板１６，１６の内端側が中央カバー板１５の上側から抜け出すと共に、中央カバー板１５が圧縮ばね４６の弾発力によって上方へ引き戻されて、図１，２に示す常態に戻る。こうした相対変位に伴って、中心保持装置１０では、左右の支持杆６，６が上記の接近方向への相対変位の場合と逆方向へ変位し、各支持杆６，６の一端部６ａ，６ａが摺動路２１，２１を夫々摺動する。このときに、各支持杆６，６の一端部６ａ，６ａが摺動路２１，２１を夫々逆方向に移動する距離は、上述したように、滑車機構３１の作動によって等しくなることから、摺動基体５と一方の支持杆６との相対的な位置関係と、該摺動基体５と他方の支持杆６との相対的な位置関係とは、左右対称に保たれる。これにより、摺動基体５が目地Ｓの略中央で保持され、中央カバー板１５が目地Ｓの略中央に保持される。
【００３０】
一方、図１０〜図１２に示すように、建造物Ｐ，Ｑが常態から離隔する方向に相対変位すると、左右の端部カバー板１６，１６が夫々外側方に移動して、その離隔方向の相対変位に追従する。これに伴って、中央カバー板１５と左右の端部カバー板１６，１６とが離間し、該中央カバー板１５が、圧縮ばね４６の弾発力により上方へ引き上げられ、介装筒４７によって支持される高さ位置で保持される。このときに、左右の支持杆６，６の一端部６ａ，６ａが摺動基体５の摺動路２１，２１を夫々摺動し、上述したように、滑車機構３１の作動によって、摺動基体５と左右の各支持杆６，６との相対的な位置関係が左右対称に保たれる。これにより、建造物Ｐ，Ｑが常態から隔離方向に相対変位した場合にも、摺動基体５が目地Ｓの略中央に保持され、中央カバー板１５が目地Ｓの略中央に保持される。このように隔離した状態から建造物Ｐ，Ｑが接近する方向に相対変位すると、左右の端部カバー板１６，１６の案内面６９，６９が中央カバー板１５の両外側縁の傾斜受面５４，５４により外側方からおされて、中央カバー板１５が下方に押し出され、常態に戻る。このときにも、滑車機構３１の作動によって摺動基体５が目地Ｓの略中央に保持され、中央カバー板１５が目地Ｓの略中央に保持される。
【００３１】
また、図１３に示すように、建造物Ｐ，Ｑが目地Ｓの長手方向に相対変位すると、中心保持装置１０の左右の支持杆６，６が建造物Ｐ，Ｑの側壁面ｘ、ｙに枢結されていることから、中心保持装置１０全体が目地Ｓの長手方向に傾斜して追従する。これに伴って、左右の端部カバー板１６，１６は、中央カバー板１５に対して長手方向の前後に相対的に変位する。このときには、上述した離隔方向への相対変位と同様に、左右の支持杆６，６の一端部６ａ，６ａが摺動基体５の摺動路２１，２１を夫々摺動し、滑車機構３１の作動によって、摺動基体５と左右の各支持杆６，６との相対的な位置関係が左右対称に保たれる。これにより、中央カバー板１５は、目地Ｓの左右方向の略中央で保持されると共に、目地Ｓの長手方向にあっても、該長手方向へ相対変位した端部カバー板１６，１６間の略中央に保持される。こうした長手方向への相対変位から常態へ戻る場合も、滑車機構３１の作動によって中央カバー板１５は目地Ｓの中央に保持される。
【００３２】
上述した本発明の天井用目地カバー装置１によれば、地震等により建造物Ｐ，Ｑの目地Ｓが相対変位した場合にも、中心保持装置１０の作動によって、摺動基体５が目地Ｓの略中央に保持されることから、該摺動基体５により吊持された中央カバー板１５を目地Ｓの略中央に保持できる。さらに、中央カバー板１５を吊持する摺動基体５を、該摺動基体５の両側面に夫々設けた摺動路２１，２１に一端部６ａ，６ａを嵌挿した左右一対の支持杆６，６によって、建造物Ｐ，Ｑの側壁面ｘ、ｙ間に支持するようにしたことにより、中央カバー板１５を吊持する支持強度に優れ、該支持強度が従来構成の伸縮リンクに比して格段に向上するため、該中央カバー板１５を充分且つ安定して支えることができる。したがって、中央カバー板１５を比較的長期に亘って安定して保持できると共に、地震等が発生した場合にも中央カバー板１５を目地Ｓの略中央で安定して保持することができる。
【００３３】
また、中央カバー板１５と左右一対の端部カバー板１６，１６とを、該中央カバー板１５の天井面１５ａと該端部カバー板１６，１６の天井面１６ａ，１６ａとが略面一となる状態で配設することができるため、優れた美観を得ることができる。
【００３４】
なお、本発明の目地カバー装置は、上記実施例の形態に限らず本発明の要旨を逸脱しない範囲内において種々変更を加えることができる。
【符号の説明】
【００３５】
１  天井用目地カバー装置
５  摺動基体
６  支持杆
６ａ  一端部
６ｂ  他端部
１０  中心保持装置
１５  中央カバー板
１５ａ  天井面
１６  端部カバー板
１６ａ  天井面
２１  摺動路
３１  滑車機構
３２  滑車
３３  ワイヤー
３３ａ  直線部
４５  支持軸
４６  圧縮ばね
５４  傾斜受面
６７  押圧傾斜面
Ｐ，Ｑ  建造物
Ｓ  目地
【図１】
2014218815.tif 000003
【図２】
2014218815.tif 000004
【図３】
2014218815.tif 000005
【図４】
2014218815.tif 000006
【図５】
2014218815.tif 000007
【図６】
2014218815.tif 000008
【図７】
2014218815.tif 000009
【図８】
2014218815.tif 000010
【図９】
2014218815.tif 000011
【図１０】
2014218815.tif 000012
【図１１】
2014218815.tif 000013
【図１２】
2014218815.tif 000014
【図１３】
2014218815.tif 000015